(57)【要約】      （修正有）【課題】証明写真撮影スタンド用回転椅子に設け、盗難危険性を抑制する構造としたブッシュ及びそれを用いた回転椅子を提供する。【解決手段】外周部分にローレット溝１５ｃを設ける加工を行ったスチール製のブッシュ１５とする。ローレット加工の溝を用いた個々の凸部が嵌め込み対象の内周部に食い込むので、無理嵌めによりブッシュを嵌め込み対象に強固に嵌め込むことができる。ブッシュ１５は、証明写真用撮影スタンドの回転椅子に組み込むことで、盗難意志の発生を抑制し、被害額を抑制できる。【選択図】図１
0003190137.tif 000002
【実用新案登録請求の範囲】
【請求項１】
外周上端に設けられる鍔部と、内周に設けられるグリス溝とを有するブッシュであって、外周部にローレット溝を有し、材質をスチールとしたブッシュ。
【請求項２】
スタンドの床面に固定して椅子全体を支える基盤部（１１）と、この基盤部（１１）の中央に固定されて上方へと延びる金属製の下カバーパイプ（１２）と、前記基盤部（１１）に固定され前記下カバーパイプ（１２）の中央を貫通する雄ねじが切られたシャフト（１３）と、前記下カバーパイプ（１２）の上端に無理嵌めにより嵌め込まれたブッシュ（１５）とを備える下部パーツ（１）と、
ユーザーの座る座盤（２１）と、その座盤（２１）に固定され下方に延びるネジ受けパイプ（２３）と、このネジ受けパイプ（２３）の下端に嵌め込まれた雌ネジ受け（２４）とを備える上部パーツ（２）とを有し、
前記ネジ受けパイプ（２３）の外周と前記ブッシュ（１５）の内周とが摺動し、雌ネジ受け（２４）とシャフト（１３）とがネジ結合することで、前記上部パーツ（２）の座盤（２１）を前記下部パーツ（１）に対して回転させるようにした回転椅子であって、
前記ブッシュ（１５）が請求項１に記載のブッシュである回転椅子。
【考案の詳細な説明】
【技術分野】
【０００１】
この考案は、屋外設置物に設ける椅子の部品に関する。
【背景技術】
【０００２】
現在、証明写真を撮影する写真スタンドは、ユーザーニーズに応じて施設内のみならず屋外にも単独で設置されている。一般にこの写真スタンドでは、写真を撮るカメラの高さが固定されている。ユーザーはこのカメラの撮影範囲に顔や肩が入るように、カメラに相対して座る椅子の高さを調整する。このため、ほとんどの写真スタンドには、高さを調整可能な椅子が設けてある。
【０００３】
その椅子の一般的な構造は、例えば図２（ａ）の外観図及び図２（ｂ）の断面図に示すように、下部パーツ１と上部パーツ２とからなり、これらの相対位置を調整することで椅子の高さが調整される。下部パーツ１は、スタンドの床面に固定して椅子全体を支える基盤部１１と、この基盤部１１の中央に固定されて上方へと延びる金属製の下カバーパイプ１２と、基盤部１１に固定され下カバーパイプ１２の中央を貫いてその上端近傍まで延びる雄ねじが切られたシャフト１３と、下カバーパイプ１２の上端に嵌め込まれたブッシュ１４とを有する。
【０００４】
一方、上部パーツ２は、ユーザーが座る座盤２１と、その座盤２１の中央に固定されて下方へと延びる上カバーパイプ２２と、座盤２１の中央に固定されて上カバーパイプ２２の中央を貫いてその下端よりも下方まで延びるネジ受けパイプ２３と、このネジ受けパイプ２３の下端に嵌め込まれた雌ネジ受け２４とを有する。
【０００５】
上部パーツ２を下部パーツ１に対して取り付けるにあたっては、ネジ受けパイプ２３の先端外周がブッシュ１４の内周面と擦り合わされながら、雌ネジ受け２４の雌ねじ部分がシャフト１３の雄ねじと噛み合い、上部パーツ２を回転させることでシャフト１３に対して高さ調整される。座盤２１の高さを最も下げたときの断面図を図３に、外観図を図４に示す。
【０００６】
ブッシュ１４の拡大断面図を図５（ａ）に、下カバーパイプ１２の上端への嵌め込み時の拡大斜視図を図５（ｂ）に示す。ブッシュ１４は、外周上端に設けられる下カバーパイプ１２内への落下を防ぐための鍔部１４ａと、内周に設けられる２本の環状のグリス溝１４ｂとを有する。グリス溝１４ｂは滑り軸受として摩擦を低減させるためのグリス溜まりとして作用する。ブッシュ１４の外周の直径は、下カバーパイプ１２の内周径よりも０．２〜０．４ｍｍ程度大きく、ブッシュ１４を上端から無理嵌め（かち込み）することで固定している。このため、金属製ではあってもある程度変形を許容できる程度に軟質の材料を用いることが好ましい。また、ブッシュ（滑り軸受）である以上、焼き付き防止効果を望むために銅系材料が好ましく（例えば特許文献１［００３４］）、一般に真鍮が用いられる。
【先行技術文献】
【特許文献】
【０００７】
【特許文献１】特開２０１０−１５９８０９号公報
【考案の概要】
【考案が解決しようとする課題】
【０００８】
しかしながら、証明写真用の写真スタンドは、特に屋外に設置される場合には悪戯の対象となることが多い。特にブッシュはスチールより高価な真鍮製であるため、椅子を破壊して真鍮製のブッシュのみ盗難されることが頻繁にあった。
【０００９】
そこでこの考案は、ブッシュに対する盗難意欲を抑制させ、また、盗難時の損害を軽減させることを目的とする。
【課題を解決するための手段】
【００１０】
この考案は、外周上端に落下止めの鍔部を有し、内周に環状のグリス溝を有するブッシュであって、嵌め込み対象と接触する外周部分にローレット加工を行い、材質をスチールとしたブッシュにより、上記の課題を解決したのである。
【００１１】
真鍮に比べてスチールは硬質であるが、外周部分にローレット加工をすることで、ローレット加工の溝の間の凸部が嵌め込み対象の内周部に食い込むので、無理嵌めによりブッシュを嵌め込み対象に強固に嵌め込むことができる。
【考案の効果】
【００１２】
スチール製のブッシュの外周部分にローレット加工を行うことにより、ブッシュが強固に嵌め込まれるので、盗難を意図する者に対してそれを行うメリットを減らすことができ、結果として盗難を抑制できる。また、仮に盗難されても真鍮製のブッシュに比べて製造コストは低廉であるため、損害額を抑制できる。
【図面の簡単な説明】
【００１３】
【図１】この考案にかかるブッシュの無理嵌め時の斜視図
【図２】（ａ）この考案にかかるブッシュを適用する回転椅子の外観図、（ｂ）（ａ）の断面図
【図３】図２の回転椅子の座盤の高さを最も下げたときの断面図
【図４】図２の回転椅子の座盤の高さを最も下げたときの外観図
【図５】（ａ）従来の真鍮製ブッシュの断面図、（ｂ）真鍮製ブッシュの無理嵌め時の斜視図
【考案を実施するための形態】
【００１４】
以下、この考案の実施形態について図１を用いて説明する。この実施形態のブッシュ１５は、外周上端に設けられた落下止めの鍔部１５ａと、内周に設けられた環状のグリス溝１５ｂとを有する。ブッシュ１５の嵌め込み対象と接触する外周部分にローレット溝１５ｃが設けられ、ブッシュ１５の材質をスチールとしたのである。
【００１５】
ローレット溝１５ｃは、外周全体に斜め格子状に刻まれた溝であり、個々の溝のピッチは１ｍｍ前後、具体的には０．５ｍｍ〜１．５ｍｍであるとよく、０．８〜１．２ｍｍであると好ましい。溝の深さは０．１〜０．５ｍｍ程度であるとよい。
【００１６】
ローレット溝１５ｃで囲まれた個々の凸部として残る、ローレット加工前の外周の径は、無理嵌めを行う対象である下カバーパイプ１２の内周よりも０．２〜０．４ｍｍ大きい。嵌め込み対象の内周よりこの程度大きいものとすることで、ローレット加工の溝を用いた個々の凸部が嵌め込み対象の内周部に食い込むので、無理嵌めによりブッシュを嵌め込み対象に強固に嵌め込むことができる。
【００１７】
この考案に係るブッシュ１５は、証明写真用撮影スタンドの回転椅子に組み込むことで、盗難意志の発生を抑制し、被害額を抑制できる。この証明写真撮影スタンドの回転椅子は、図２に示すように、スタンドの床面に固定される下部パーツ１と、これに対して回転させることにより高さを調整できる座盤２１付きの上部パーツ２とを備える。
【００１８】
この下部パーツ１は、スタンドの床面に固定して椅子全体を支える基盤部１１と、この基盤部１１の中央に固定されて上方へと延びるスチール製の下カバーパイプ１２と、基盤部１１に固定され下カバーパイプ１２の中央を貫いてその上端近傍まで延びる雄ねじが切られたシャフト１３とを備える。ブッシュ１５は上述のように、外周部のローレット加工の溝の間の凸部が嵌め込み対象である下カバーパイプ１２の内周に食い込むので、下カバーパイプ１２に強固に嵌め込まれ、下カバーパイプ１２から取り外すことは困難になり、盗難を抑制できる。
【００１９】
一方、上部パーツ２はユーザーが座る円盤状の座盤２１と、その座盤２１の中央に固定されて下方へと延びる上カバーパイプ２２と、座盤２１の中央に固定されて上カバーパイプ２２の中央を貫いてその下端よりも下方まで延びるネジ受けパイプ２３と、このネジ受けパイプ２３の下端に嵌め込まれた雌ネジ受け２４とを有する。
【００２０】
上部パーツ２を下部パーツ１に対して取り付けるにあたっては、図３に示すように、ネジ受けパイプ２３の外周がブッシュ１５の内周面と擦り合わされながら、雌ネジ受け２４の雌ねじ部分がシャフト１３の雄ねじとねじ結合し、上部パーツ２を回転させることでシャフト１３に対して高さ調整される（図４参照）。
【００２１】
ここで、ブッシュ１５は、ネジ受けパイプ２３を滑り軸受として支持している。グリス溝１５ｂにグリスが入れられるブッシュ１５を証明写真撮影スタンドの回転椅子に使用する限りでは、上部パーツ２のネジ受けパイプ２３との摺動を滑らかにして、焼き付きを防止する。
【符号の説明】
【００２２】
１  下部パーツ
２  上部パーツ
１１  基盤部
１２  下カバーパイプ
１３  シャフト
１４，１５  ブッシュ
１４ａ，１５ａ  鍔部
１４ｂ，１５ｂ  グリス溝
１５ｃ  ローレット溝
２１  座盤
２２  上カバーパイプ
２３  ネジ受けパイプ
２４  雌ネジ受け
【図１】
0003190137.tif 000003
【図２】
0003190137.tif 000004
【図３】
0003190137.tif 000005
【図４】
0003190137.tif 000006
【図５】
0003190137.tif 000007